(57)【要約】【課題】貯留施設の作製に要するコストの低減及び工期の短縮が可能な骨格ブロック構造体を提供すること。【解決手段】貯水空間内に設置され貯留槽を構成する骨格ブロック構造体は、水平方向に隣接配置され且つ垂直方向に積層される複数の骨格ブロック１０からなる骨格ブロックの集合体と、骨格ブロックの集合体の外周を囲って貯留槽を構成する外周壁２０と、貯留槽に水を流入する流入管３０と、貯留槽に貯留されている水を流出する流出管４０と、貯留槽内を第１の空間Ｓ１と流出管４０に連通する第２の空間Ｓ３とに区画する流出側仕切壁６０とを備える。流出側仕切壁６０は、複数の骨格ブロック１０の各層間に設置される複数の仕切ブロック５１で構成される。１以上の仕切ブロック５１には、第１の空間Ｓ１と第２の空間Ｓ３とを連通しオリフィスとして機能する開口５３が形成されている。【選択図】図２
2020076312.tif 000002
【特許請求の範囲】
【請求項１】
貯水空間内に設置され貯留槽を構成する骨格ブロック構造体であって、
前記骨格ブロック構造体は、
水平方向に隣接配置され且つ垂直方向に積層される複数の骨格ブロックからなる骨格ブロックの集合体と、
前記骨格ブロックの集合体の外周を囲って前記貯留槽を構成する外周壁と、
前記貯留槽に水を流入するための流入部と、
前記貯留槽に貯留されている水を流出するための流出部と、
前記貯留槽内を第１の空間と前記流出部に連通する第２の空間とに区画し、前記第１の空間から前記第２の空間への水の流入を規制する仕切部材と、を備えた、
骨格ブロック構造体。
【請求項２】
前記第２の空間に挿入される挿入ブロック体をさらに備え、
前記挿入ブロック体は、前記仕切部材により外周を覆われた状態で前記第２の空間に挿入された、
請求項１に記載の骨格ブロック構造体。
【請求項３】
前記仕切部材は、複数の前記骨格ブロックの各層間に設置される複数の仕切ブロックにより構成された、
請求項１に記載の骨格ブロック構造体。
【請求項４】
各前記仕切ブロックの上縁部及び下縁部には、前記骨格ブロックに形成された溝部に嵌合する突起部を有する、
請求項３に記載の骨格ブロック構造体。
【請求項５】
前記仕切部材は、積層された前記骨格ブロックの集合体の１層分の高さより高い１以上の仕切ブロックにより構成された、
請求項１に記載の骨格ブロック構造体。
【請求項６】
１以上の前記仕切ブロックには、前記第１の空間と前記第２の空間とを連通しオリフィスとして機能する開口が形成されている、
請求項３乃至５のいずれか１項に記載の骨格ブロック構造体。
【発明の詳細な説明】
【技術分野】
【０００１】
本発明は、ビルあるいは集合住宅、特に団地、学校、病院などにおいて、雨水等を防火用や散水用、あるいは洪水防止用等として使用すべく貯水するための貯留施設、あるいは降水を一時的に貯留施設に蓄えておき少しずつ浸透させる浸透施設に用いられる骨格ブロック構造体に関する。
【背景技術】
【０００２】
昨今では、都市化に伴う土地の被覆により、雨水の地下浸透能力の低下が著しく、道路冠水や施設浸水の被害が多発している。この問題に対処するため、従来から、河川の水や雨水等を地中に貯水する貯水施設に設けられた貯水空間に設置されて、貯留槽を構成する樹脂製の骨格ブロック構造体が知られている。この骨格ブロック構造体は、樹脂製の複数の骨格ブロックを水平方向に隣接配置し且つ垂直方向に積層することによって構成される（例えば、特許文献１を参照）。
【０００３】
係る貯水空間においては、周囲から受ける土圧に対処するための強度を確保する必要がある。上述のように、貯水空間内に骨格ブロック構造体を設置することにより、周囲から受ける土圧を骨格ブロック構造体で受け止めることができる。この結果、土圧に対する貯水空間の強度を高めることができる。
【先行技術文献】
【特許文献】
【０００４】
【特許文献１】特開２００８−３８４５７号公報
【発明の概要】
【発明が解決しようとする課題】
【０００５】
ところで、上述のように、骨格ブロック構造体が貯水空間に設置されて貯留槽が構成される場合、貯留槽から流出する水の流量を調整するために、貯留槽からの水の流出経路の途中にオリフィス（絞り孔）を設けることが好ましい。更に、雨水等に含まれる石や砂利等の比較的大きな粒子の貯留槽内への流入を抑制するために、貯留槽への水の流入経路の途中に、これらの粒子を事前に捕獲するための流入槽を設けることが好ましい。
【０００６】
従来、このようなオリフィス及び流入槽は、コンクリート等で作製され、樹脂製の骨格ブロック構造体で構成される貯留槽の外部に設置されていた。このため、貯留施設の作製に要するコストの低減及び工期の短縮の観点からは、改善する余地があった。
【０００７】
本発明は、上述した事情に鑑みてなされたものであり、その目的は、貯留施設の作製に要するコストの低減及び工期の短縮が可能な骨格ブロック構造体を提供することにある。
【課題を解決するための手段】
【０００８】
前述した目的を達成するために、本発明に係る骨格ブロック構造体は、下記（１）〜（６）を特徴としている。
（１）  貯水空間内に設置され貯留槽を構成する骨格ブロック構造体であって、
前記骨格ブロック構造体は、
水平方向に隣接配置され且つ垂直方向に積層される複数の骨格ブロックからなる骨格ブロックの集合体と、
前記骨格ブロックの集合体の外周を囲って前記貯留槽を構成する外周壁と、
前記貯留槽に水を流入するための流入部と、
前記貯留槽に貯留されている水を流出するための流出部と、
前記貯留槽内を第１の空間と前記流出部に連通する第２の空間とに区画し、前記第１の空間から前記第２の空間への水の流入を規制する仕切部材と、を備えたこと。
【０００９】
（２）  上記（１）に記載の骨格ブロック構造体において、
前記第２の空間に挿入される挿入ブロック体をさらに備え、
前記挿入ブロック体は、前記仕切部材により外周を覆われた状態で前記第２の空間に挿入されたこと。
【００１０】
（３）  上記（１）に記載の骨格ブロック構造体において、
前記仕切部材は、複数の前記骨格ブロックの各層間に設置される複数の仕切ブロックにより構成されたこと。
【００１１】
（４）  上記（３）に記載の骨格ブロック構造体において、
各前記仕切ブロックの上縁部及び下縁部には、前記骨格ブロックに形成された溝部に嵌合する突起部を有すること。
【００１２】
（５）  上記（１）に記載の骨格ブロック構造体において、
前記仕切部材は、積層された前記骨格ブロックの集合体の１層分の高さより高い１以上の仕切ブロックにより構成されたこと。
【００１３】
（６）  上記（３）乃至（５）のいずれか１つに記載の骨格ブロック構造体において、
１以上の前記仕切ブロックには、前記第１の空間と前記第２の空間とを連通しオリフィスとして機能する開口が形成されていること。
【００１４】
上記（１）の構成の骨格ブロック構造体によれば、骨格ブロック構造体で構成される貯留槽の内部が、仕切部材により、第１の空間と、流出部に連通する第２の空間とに区画され、仕切部材は、貯留槽の第１の空間内に貯留されている水が、貯留槽の第２の空間へ移動するのを抑制する。したがって、例えば第２の空間内への水の流入量を制限したり、第２の空間内に移動した水が、流出部を介して貯留槽の外部に流出する流量を制限できる。
【００１５】
更に、仕切部材を骨格ブロックと同じ樹脂で作製することも可能である。この結果、貯留施設の作製に要するコストの低減及び工期の短縮が可能となる。
【００１６】
上記（２）の構成の骨格ブロック構造体によれば、挿入ブロック体が予め仕切部材により覆われた状態で第２の空間に挿入されるので、骨格ブロック構造体を構築している途中で仕切部材を組み込むよりも簡単に仕切部材を設置できる。この結果、貯留施設の作製に要する工期の短縮が可能となる。
【００１７】
上記（３）の構成の骨格ブロック構造体によれば、仕切ブロックを骨格ブロックと同じ樹脂で作製することも可能である。この結果、貯留施設の作製に要するコストの低減及び工期の短縮が可能となる。
【００１８】
上記（４）の構成の骨格ブロック構造体によれば、上下２段の骨格ブロックで仕切ブロックを挟持する際、仕切ブロックの上縁部の突起部を上段の骨格ブロックの溝部に嵌合させ、仕切ブロックの下縁部の突起部を下段の骨格ブロックの溝部に嵌合させることで、仕切ブロックを、より一層強固に、上下２段の骨格ブロックで挟持することができる。
【００１９】
上記（５）の構成の骨格ブロック構造体によれば、仕切ブロックの高さを任意に定めることができる。したがって、第２の空間の用途に応じた高さを有する仕切ブロックを選択できる。
【００２０】
上記（６）の構成の骨格ブロック構造体によれば、仕切部材を構成する仕切ブロックの一部にオリフィスとして機能する開口が形成されている。即ち、オリフィスは、貯留槽の内部に設けられる。このため、貯留槽の第１の空間内に貯留されている水は、このオリフィスを経由して貯留槽の第２の空間へ移動し、第２の空間へ移動した水が、流出部を介して貯留槽の外部に流出する。
【００２１】
このオリフィスは、骨格ブロック構造体を組み付ける過程で、オリフィスが形成された仕切ブロックを組み込むことで、貯留槽の内部に設置することができる。
【発明の効果】
【００２２】
本発明によれば、貯留施設の作製に要するコストの低減及び工期の短縮が可能な骨格ブロック構造体を提供できる。
【００２３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２４】
【図１】図１は、本発明の実施形態に係る骨格ブロック構造体の概略上面図である。
【図２】図２は、図１のＡ−Ａ線断面図である。
【図３】図３は、骨格ブロック構造体を構成する骨格ブロックの斜視図である。
【図４】図４は、平板状に水平方向に隣接配置された下段の骨格ブロックの部分集合体の上に、複数の仕切ブロックを用いて１層分の高さの流入側仕切壁を設けた際の様子を示した斜視図である。
【図５】図５は、流入側仕切壁（及び流出側仕切壁）を構成する仕切ブロックの斜視図である。
【図６】図６は、オリフィスが形成された仕切ブロックの斜視図である。
【図７】図７は、本発明の実施形態の第１の変形例に係る仕切ブロックを示す斜視図である。
【図８】図８は、図７に示す直交配置された２つの仕切ブロックの端部同士の接続箇所を示す平面図である。
【図９】図９は、本発明の実施形態の第２の変形例に係る副空間を示す斜視図である。
【図１０】図１０は、本発明の実施形態の第３の変形例に係る流出側仕切壁を示す側面図である。
【図１１】本発明の実施形態の第４の変形例に係る、仕切シートにより側面が覆われた挿入ブロック体の斜視図である。
【図１２】金属により形成した挿入ブロック体の斜視図である。
【図１３】骨格ブロックを用いずに樹脂により形成した挿入ブロック体の斜視図である。
【発明を実施するための形態】
【００２５】
以下、図面を参照しながら、本発明の実施形態に係る樹脂製の骨格ブロック構造体１について説明する。骨格ブロック構造体１は、典型的には、河川の水や雨水等を地中に貯水する貯水施設に設けられた貯水空間に設置されて、貯留槽を構成するために使用される。このような貯水空間は、例えば、地面を掘り下げることで形成された直方体状等の凹部の内表面を内張層で覆うことによって形成される。内張層としては、砂利、不織布、或いは防水シート等が使用され得る。
【００２６】
図１及び図２に示すように、骨格ブロック構造体１は、水平方向に隣接配置され且つ垂直方向に積層される複数の骨格ブロック１０からなる骨格ブロック１０の集合体の外周を、外周壁２０で囲うことで、貯留槽を構成している。
【００２７】
まず、骨格ブロック１０の集合体について説明する。樹脂製の骨格ブロック１０の集合体を構成する樹脂製の各骨格ブロック１０は、例えば、図３に示すように、平面形状が正方形であり且つ互いに平行な上面及び下面を有する平板状の基台１１を備える。基台１１は、例えば、基台１１の正方形状の外枠を構成する外周フレーム１２と、外周フレーム１２の内側空間にて外周フレーム１２と一体に連結された複数のリブ１３と、によって構成される。
【００２８】
このため、基台１１の上面には、隣接するリブ１３で区画された複数の溝部（貫通孔）１４が形成されている。この溝部１４は、後述する仕切ブロック５１の突起部５２（図５参照）と嵌合されて、骨格ブロック１０と仕切ブロック５１とを連結・固定するために使用される。
【００２９】
基台１１には、その上面から立設すると共に先端に近づくほど小径となる円錐台状の複数（典型的には、２つ）の同形の支持体１５が形成される。また、基台１１の上面には、複数（典型的には、２つ）の同形の嵌合穴１６が形成される。
【００３０】
平面視にて、２つの支持体１５のそれぞれの中心は、基台１１の外周形状である正方形（以下、「外周正方形」と呼ぶ）の一対の対角線のうち一方の対角線上に位置し、２つの嵌合穴１６のそれぞれの中心は、外周正方形の一対の対角線のうち他方の対角線上に位置している。平面視にて、２つの支持体１５、及び、２つの嵌合穴１６は、「２つの支持体１５の２つの中心と、２つの嵌合穴１６の２つの中心とを四隅とする四角形」が「外周正方形を０．５倍に縮小した正方形」となるように配置されている。
【００３１】
下段の骨格ブロック１０に上下を逆さまにした上段の骨格ブロック１０を近づけて、上段の骨格ブロック１０の支持体１５を下段の骨格ブロック１０の嵌合穴１６に挿入し、且つ、上段の骨格ブロック１０の嵌合穴１６に下段の骨格ブロック１０の支持体１５を挿入することによって、上下２段の骨格ブロック１０を互いに連結・固定することができる。つまり、上下２段の骨格ブロック１０の部分集合体が、骨格ブロック１０の集合体における「１つの層」を構成する。
【００３２】
「上下２段の骨格ブロック１０の部分集合体」を構成する手法として、主として、以下の２つの手法がある。第１に、上下を逆さまにした上段の各骨格ブロック１０を、水平方向に縦横に隣接配置された下段の対応する１つの骨格ブロック１０と連結・固定する手法である。第２に、上下を逆さまにした上段の各骨格ブロック１０を、水平方向に縦横に隣接配置された下段の対応する４つの骨格ブロック１０と連結・固定する手法である（所謂「千鳥配置」とする）。図１及び図２に示す例では、第２の手法によって構成された「上下２段の骨格ブロック１０の部分集合体」を５つ積層して得られる、５層の直方体状の骨格ブロック１０の集合体が示されている。
【００３３】
水平方向に隣接配置された「骨格ブロック１０」同士の連結・固定、並びに、上下方向に積層された「上下２段の骨格ブロック１０の部分集合体」同士の連結・固定は、例えば、所定の把持具を用いること、並びに、互いに連結される連結面の一方に設けた嵌合突起部と他方に設けた嵌合凹部とを嵌合すること、等によって達成され得る。上記第２の手法（千鳥配置）によって「上下２段の骨格ブロック１０の部分集合体」が構成される場合、水平方向に隣接配置された「骨格ブロック１０」同士を連結・固定する手段が不要となる。
【００３４】
次に、外周壁２０について説明する。図１及び図２に示す例では、樹脂製の外周壁２０が、直方体状の骨格ブロック１０の集合体の外周の全体を覆っている。この樹脂製の外周壁２０は、例えば、樹脂製の複数の外周壁ブロックを、骨格ブロック１０の集合体の外周の全体を覆うように、水平方向及び垂直方向に縦横に隣接配置することで構成され得る。
【００３５】
骨格ブロック１０の集合体の側面を覆う各外周壁ブロックの高さは、例えば、骨格ブロック１０の集合体における「１つの層」の高さと一致している。この場合、図１及び図２に示す例では、５層の直方体状の骨格ブロック１０の集合体の側面を覆う外周壁２０は、矩形環状に隣接配置された複数の外周壁ブロックからなる１層分の高さの外周壁ブロックの部分集合体を、垂直方向に５つ積層することで構成される。このとき、５つの「上下２段の骨格ブロック１０の部分集合体」の各々が順次積層される毎に、その最上位に位置する「上下２段の骨格ブロック１０の部分集合体」の周囲を覆うように、１層分の高さの外周壁ブロックの部分集合体を順次積層していくことができる。
【００３６】
図１及び図２に示すように、骨格ブロック構造体１は、更に、貯留槽に水を流入するための流入管３０と、貯留槽に貯留されている水を流出するための流出管４０とを備える。図１及び図２に示す例では、流入管３０が、骨格ブロック１０の集合体の一側（図１及び図２では左側）の側面を覆う外周壁２０の上端近傍の所定位置にて、外周壁２０を貫通するように外周壁２０に固定配置され、流出管４０が、骨格ブロック１０の集合体の他側（図１及び図２では右側）の側面を覆う外周壁２０の下端近傍の所定位置にて、外周壁２０を貫通するように外周壁２０に固定配置されている。流入管３０及び流出管４０としては、例えば、塩化ビニル製の配管が使用され得る。
【００３７】
図１及び図２に示すように、骨格ブロック構造体１は、更に、貯留槽内を、主空間Ｓ１と、流入管３０に連通する副空間Ｓ２とに区画する流入側仕切壁５０を備える。図１及び図２に示す例では、流入側仕切壁５０は、上方からみて、一側（図１及び図２では左側）に開口するＵ字状であって、Ｕ字状の一対の開口縁が流入管３０の下方に位置する外周壁２０の内壁に接続されたＵ字状の形状を有するように、貯留槽の底壁（即ち、外周壁２０における底壁を構成する部分）から立ち上がっている。したがって、副空間Ｓ２は、流入管３０に連通すると共に、Ｕ字状の流入側仕切壁５０と外周壁２０の一部とで画成された直方体状の空間である。
【００３８】
流入側仕切壁５０の上縁は、貯留槽（外周壁２０）の上縁より低い位置にある。したがって、流入管３０を介して貯留槽に流入する雨水等は、まず、副空間Ｓ２へ移動し、雨水等に含まれる比較的大きな粒子が副空間Ｓ２の底部に捕獲される。これらの粒子が除去された後の水が、流入側仕切壁５０の上縁を越えて、主空間Ｓ１に移動して貯留される。このように、副空間Ｓ２は、雨水等に含まれる石や砂利等の比較的大きな粒子の主空間Ｓ１への流入を抑制するための流入槽として機能し得る。換言すれば、流入槽が、貯留槽の内部に設けられている。
【００３９】
樹脂製の流入側仕切壁５０は、例えば、図５に示す樹脂製の複数の仕切ブロック５１を、水平方向に隣接配置し且つ垂直方向に積層することで構成され得る。仕切ブロック５１は、上下２段の骨格ブロック１０で挟持することが可能である。即ち、仕切ブロック５１の高さは、骨格ブロック１０の支持体１５の高さと略一致している。仕切ブロック５１の上縁部及び下縁部にはそれぞれ、上方及び下方に向けて突出する複数の突起部５２が一体に設けられている。このため、仕切ブロック５１の上縁部の突起部５２を上段の骨格ブロック１０の溝部１４に嵌合させ、仕切ブロック５１の下縁部の突起部５２を下段の骨格ブロック１０の溝部１４に嵌合させることで、仕切ブロック５１を上下２段の骨格ブロック１０で挟持することができる。
【００４０】
図１及び図２に示す例では、図４に示すように、平板状に水平方向に隣接配置された下段の骨格ブロック１０の部分集合体上に、複数の仕切ブロック５１を、Ｕ字状に並ぶように連結・固定し、この状態にて、下段の骨格ブロック１０の部分集合体に、上下を逆さまにした上段の骨格ブロック１０の部分集合体を組み付けることで、１層分の高さの流入側仕切壁５０が挟持された「上下２段の骨格ブロック１０の部分集合体」（＝１層）が得られる。このような１層分の高さの流入側仕切壁５０が挟持された「上下２段の骨格ブロック１０の部分集合体」を垂直方向に４つ積層し、この積層体の上に、仕切ブロック５１が挟持されない「上下２段の骨格ブロック１０の部分集合体」を積層することで、図１及び図２に示すように、上縁が貯留槽の上縁より低い位置にある流入側仕切壁５０が得られる。
【００４１】
なお、図１及び図２に示す例では、貯留槽の上壁（外周壁２０における上壁を構成する部分）の所定位置にて、副空間Ｓ２内を点検するための点検孔２１が形成されている。このため、貯留槽における点検孔２１の下方領域（即ち、副空間Ｓ２内）には、骨格ブロック１０が配置されないことにより、点検孔２１と貯留槽の底壁（外周壁２０における下壁を構成する部分）とを繋ぐ空間２３が形成されている。
【００４２】
図１及び図２に示すように、骨格ブロック構造体１は、更に、貯留槽内を、主空間Ｓ１と、流出管４０に連通する副空間Ｓ３とに区画する流出側仕切壁６０を備える。図１及び図２に示す例では、流出側仕切壁６０は、上方からみて、流出管４０の近傍位置にて、矩形状を有するように、貯留槽の底壁（即ち、外周壁２０における底壁を構成する部分）から立ち上がっている。流出管４０側に位置する流出側仕切壁６０は、発泡ブロック４１を介して、外周壁２０の内壁と接続されている。流出管４０は、発泡ブロック４１、及び、流出管４０側に位置する流出側仕切壁６０をそれぞれ貫通している。したがって、副空間Ｓ３は、流出管４０に連通すると共に、矩形状の流出側仕切壁６０で画成された直方体状の空間である。
【００４３】
流出側仕切壁６０の上縁は、貯留槽（外周壁２０）の上壁に接続されている。一方、図２に示すように、流出側仕切壁６０には、特に、下端近傍位置にて、１つ又は複数のオリフィス（貫通した絞り孔、開口ともいう）５３が形成されている。即ち、オリフィス５３が、貯留槽の内部に設けられている。このため、貯留槽の主空間Ｓ１に貯留されている水は、オリフィス５３を経由して貯留槽の副空間Ｓ３へ移動し、副空間Ｓ３へ移動した水が、流出管４０を介して貯留槽の外部に流出する。これにより、貯留槽から流出する水の流量がオリフィス５３によって調整され得る。
【００４４】
更に、流出側仕切壁６０には、特に、上端近傍位置にて、１つ又は複数のオーバフロー防止用の開口５４が形成されている。開口５４の総開口面積は、オリフィス５３の総開口面積より大きい。これにより、副空間Ｓ２から過大な流量の水が主空間Ｓ１に流れ込むことで主空間Ｓ１に貯留される水がオーバフローしようとする場合に、主空間Ｓ１に貯留されている水が、開口５４を経由して貯留槽の副空間Ｓ３へ容易に移動し、副空間Ｓ３へ移動した水が、流出管４０を介して貯留槽の外部に流出する。これにより、主空間Ｓ１に貯留される水のオーバフローが防止される。
【００４５】
樹脂製の流出側仕切壁６０も、流入側仕切壁５０と同様、図５（及び図６）に示す樹脂製の複数の仕切ブロック５１を、水平方向に隣接配置し且つ垂直方向に積層することで構成され得る。図１及び図２に示す例では、平板状に水平方向に隣接配置された下段の骨格ブロック１０の部分集合体上に、複数の仕切ブロック５１を、矩形状に並ぶように連結・固定し、この状態にて、下段の骨格ブロック１０の部分集合体に、上下を逆さまにした上段の骨格ブロック１０の部分集合体を組み付けることで、１層分の高さの流出側仕切壁６０が挟持された「上下２段の骨格ブロック１０の部分集合体」（＝１層）が得られる。
【００４６】
このような１層分の高さの流出側仕切壁６０が挟持された「上下２段の骨格ブロック１０の部分集合体」が垂直方向に５つ積層される。このとき、オリフィス５３が形成される層に対応する「上下２段の骨格ブロック１０の部分集合体」には、オリフィス５３の位置に対応する仕切ブロック５１として、図５に示すものに代えて、図６に示すオリフィス５３が形成されたものが使用される。同様に、開口５４が形成される層に対応する「上下２段の骨格ブロック１０の部分集合体」には、開口５４の位置に対応する仕切ブロック５１として、図５に示すものに代えて、図６に示す開口５４が形成されたものが使用される。これにより、図１及び図２に示すように、オリフィス５３及び開口５４が形成された流出側仕切壁６０が得られる。
【００４７】
なお、図１及び図２に示す例では、貯留槽の上壁（外周壁２０における上壁を構成する部分）の所定位置にて、副空間Ｓ３内を点検するための点検孔２２が形成されている。このため、貯留槽における点検孔２２の下方領域（即ち、副空間Ｓ３内）には、骨格ブロック１０が配置されないことにより、点検孔２２と貯留槽の底壁（外周壁２０における下壁を構成する部分）とを繋ぐ空間２４が形成されている。
【００４８】
以上、骨格ブロック構造体１について説明した。この骨格ブロック構造体１を貯水施設に設けられた貯水空間（地面に形成された凹部）に設置する場合、典型的には、まず、貯水空間の底面に保護シート及び遮水シートを敷設する。次いで、貯水空間内に骨格ブロック構造体１を組み立てる。次いで、骨格ブロック構造体１の側面及び上面を覆うように、骨格ブロック構造体１に保護シート及び遮水シートを敷設する。その際、流入管３０及び流出管４０が配置されている箇所では、保護シート及び遮水シートに筒状のジョイント加工を施し、配管接続を確実に行う。そして、最後に、保護シート及び遮水シートで覆われた骨格ブロック構造体１が設置された貯留空間の上部開口が、点検孔２１，２２の位置を除いて、土砂等によって塞がれる。これにより、貯留施設が完成する。
【００４９】
以上のように、本発明の実施形態に係る骨格ブロック構造体１によれば、骨格ブロック構造体１で構成される貯留槽の内部が、流出側仕切壁６０により、主空間Ｓ１と、流出管４０に連通する副空間Ｓ３とに区画され、流出側仕切壁６０を構成する複数の仕切ブロック５１の一部にオリフィス５３として機能する開口が形成されている。即ち、オリフィス５３は、貯留槽の内部に設けられる。このため、貯留槽の主空間Ｓ１内に貯留されている水は、オリフィス５３を経由して貯留槽の副空間Ｓ３へ移動し、副空間Ｓ３へ移動した水が、流出管４０を介して貯留槽の外部に流出する。
【００５０】
このオリフィス５３は、骨格ブロック構造体１を組み付ける過程で、オリフィス５３が形成された仕切ブロック５１を組み込むことで、貯留槽の内部に設置することができる。更に、仕切ブロック５１が骨格ブロック１０と同じ樹脂で作製されている。この結果、貯留施設の作製に要するコストの低減及び工期の短縮が可能となる。
【００５１】
更に、上下２段の骨格ブロック１０で仕切ブロック５１を挟持する際、仕切ブロック５１の上縁部の突起部５２を上段の骨格ブロック１０の溝部１４に嵌合させ、仕切ブロック５１の下縁部の突起部５２を下段の骨格ブロック１０の溝部１４に嵌合させることで、仕切ブロック５１を、より一層強固に、上下２段の骨格ブロック１０で挟持することができる。
【００５２】
更に、骨格ブロック構造体１で構成される貯留槽の内部が、流入側仕切壁５０により、主空間Ｓ１と、流入管３０に連通する副空間Ｓ２とに区画される。この副空間Ｓ２が、雨水等に含まれる石や砂利等の比較的大きな粒子の流入を抑制するための流入槽として機能し得る。即ち、流入槽が、貯留槽の内部に設けられる。このため、流入管３０を介して貯留槽に流入する雨水等は、先ず、貯留槽の副空間Ｓ２（＝流入槽）へ移動し、雨水等に含まれる比較的大きな粒子が副空間Ｓ２の底部に捕獲される。これらの粒子が除去された後の水が、流入側仕切壁５０の上縁を越えて、貯留槽の主空間Ｓ１に移動して貯留される。
【００５３】
この副空間Ｓ２（＝流入槽）は、骨格ブロック構造体１を組み付ける過程で、流入側仕切壁５０を構成する複数の仕切ブロック５１を組み込むことで、貯留槽の内部に設けることができる。更に、流入側仕切壁５０が骨格ブロック１０と同じ樹脂で作製されている。この結果、貯留施設の一部として流入槽を設ける場合においても、貯留施設の作製に要するコストの低減及び工期の短縮が可能となる。
【００５４】
（他の態様）
なお、本発明は上記実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
例えば、上記実施形態では、流出側仕切壁６０が、上方からみて矩形状を有するように構成されている。これに対し、流出側仕切壁６０が、流入側仕切壁５０と同様、上方からみて、他側（図１及び図２では右側）に開口するＵ字状であって、Ｕ字状の一対の開口縁が外周壁２０の内壁に接続されたＵ字状の形状を有するように、構成されていてもよい。
【００５６】
また、上記実施形態では、副空間Ｓ３として、１つの空間が設けられ、１つの副空間Ｓ３に連通する１つの流出管４０が設けられている。これに対し、副空間Ｓ３として、互いに仕切られた複数の空間が設けられ、複数の副空間Ｓ３の各々に対応する複数の流出管４０が設けられていてもよい。更に、以下に示す第１〜第５の変形例を採用してもよい。
【００５７】
（第１の変形例）
上記実施形態では、流入側仕切壁５０及び流出側仕切壁６０を構成する仕切ブロック５１として、図５に示すような比較的薄い板状の仕切ブロック５１が使用されている。これに対し、図７に示すように、比較的厚い板状の仕切ブロック５１が使用されてもよい。
【００５８】
図５に示す仕切ブロック５１では、その上縁部及び下縁部のそれぞれにて、複数の突起部５２が仕切ブロック５１の長手方向に沿って１列に配置されている。これに対し、図７に示す仕切ブロック５１では、その上縁部及び下縁部のそれぞれにて、複数の突起部５２が仕切ブロック５１の長手方向に沿って複数列（本例では、２列）に配置されている。
【００５９】
図７に示すように、図７に示す２つの仕切ブロック５１を、直交配置すると共に長手方向の端部同士を接続する場合、図８に示すように、一方の仕切ブロック５１の端部に設けられた突片５５に形成された上下方向に延びる溝部５６に、他方の仕切ブロック５１の端部に設けられた上下方向に延びる突条部５７を嵌合する構成を採用することができる。これにより、直交配置された２つの仕切ブロック５１の端部同士を、簡易な構成で水密的に接続可能となる。
【００６０】
（第２の変形例）
上記実施形態では、流出側仕切壁６０により副空間Ｓ３を区画し、副空間内の一部の領域に点検用の空間２４が形成されている場合について示したが、流出側仕切壁６０が点検用の空間２４を直接区画するようにしてもよい。つまり、副空間Ｓ３がそのまま空間２４を形成するように流出側仕切壁６０が配置されてもよい。
【００６１】
図９は、本発明の実施形態の第２の変形例に係る副空間Ｓ３を示す斜視図である。なお、図９においては、骨格ブロック１０と仕切ブロック５１との位置関係をわかりやすくするために、一部の骨格ブロック１０が取り除かれた状態を示している。第２の変形例に係る流出側仕切壁６０は、例えば図７に示した仕切ブロック５１により構成されている。仕切ブロック５１は、区画すべき空間２４の外周に沿って配置され、２列の突起部５２のうちの一方が空間２４側に露出し、他方が骨格ブロック１０の溝部１４に嵌合される。この場合、例えば流出側仕切壁６０にはオリフィスとして機能する開口と、流出管４０と直接的あるいは間接的に接続される開口とが形成される。
【００６２】
（第３の変形例）
上記実施形態では、流入側仕切壁５０及び流出側仕切壁６０は、骨格ブロック１０の高さと略一致する高さを有する複数の仕切ブロック５１により構成されている。これに対し、流入側仕切壁５０及び流出側仕切壁６０は、骨格ブロック１０の高さより大きい高さを有する１又は複数の仕切ブロックにより構成されていてもよい。この場合、上下２段の骨格ブロック１０で仕切ブロックを挟持する代わりに、例えば１段目の骨格ブロック１０と３段目、またはそれより上にある骨格ブロック１０により挟持するなど、仕切ブロックの高さを任意に定めることができる。したがって、副空間Ｓ２及びＳ３の用途に応じた高さを有する仕切ブロックを選択できる。なお、仕切ブロック５１は骨格ブロック１０に挟持される代わりに、以下のように固定されてもよい。
【００６３】
図１０は、第３の変形例に係る流出側仕切壁を示す側面図である。図１０では、流出側仕切壁６０が、２段分の骨格ブロック１０と同じ高さを有する仕切ブロックにより構成されている。流出側仕切壁６０は、固定具６２、６３により骨格ブロックの基台１１に固定されている。固定具６２には、流出側仕切壁を上下方向に貫通する貫通孔が形成されており、固定具６３には、流出側仕切壁の底部を挟持する溝部が形成されている。したがって、第３の変形例によると、骨格ブロック構造体１の組み立て中に、骨格ブロック１０が１段積層されるごとに流出側仕切壁６０を上下２段の骨格ブロック１０によって挟持していく必要がなくなり、先に骨格ブロック構造体１を最上段まで組み立てた後に、流出側仕切壁６０を最上段側から挿入することが可能となる。
【００６４】
（第４の変形例）
上記実施形態では、骨格ブロック１０の集合体を構築している途中で仕切ブロック５１を順次組み込むことで、流出側仕切壁６０（及び、流入側仕切壁５０）により、主空間Ｓ１と副空間Ｓ３（副空間Ｓ２）とを区画している。これに対し、骨格ブロック構造体１を、副空間Ｓ３に対応する箇所に骨格ブロック１０を配置せずに作製する一方、図１１に示すような、副空間Ｓ３に相当する形状（直方体形状）を有し且つ仕切シート８０により側面が覆われた骨格ブロック１０の集合体（以下、「挿入ブロック体７０」と呼ぶ）を別途作製しておき、この骨格ブロック１０の集合体の副空間Ｓ３に、仕切シート８０により側面が覆われた挿入ブロック体７０を挿入することで、主空間Ｓ１と副空間Ｓ３とを区画してもよい。
【００６５】
図１１に示す、挿入ブロック体７０の側面は、仕切シート８０により覆われている。仕切シート８０は、例えば、ポリプロピレンなどの樹脂により形成されており、接着剤、あるいは熱融着などの方法により挿入ブロック体７０の側面に固定する。また、仕切シート８０を挿入ブロック体７０に固定した後、シーリング材によりシールすると止水効果が更に高まる。また、仕切シート８０には、必要に応じてオリフィス５３として機能する開口が形成されていてもよい。また、挿入ブロック体７０には、図１１に示すように点検孔２２が形成されていてもよい。
【００６６】
なお、挿入ブロック体７０の側面は、上記実施形態と同様、図５に示す複数の仕切ブロック５１を水平方向に隣接配置し且つ垂直方向に積層することで構成するようにしてもよい。この場合、複数の仕切ブロック５１のうちの一部の仕切ブロック５１として、図５に示すものに代えて、図６に示す開口５３（５４）が形成されたものを使用することで、流出側仕切壁６０の所定位置に上述したオリフィス５３及び開口５４を形成することも可能である。
【００６７】
また、挿入ブロック体としては、骨格ブロック１０の集合体により形成した挿入ブロック体７０の代わりに、コンクリート枠や鉄枠を用いてもよい。あるいは、骨格ブロック１０を用いずに樹脂により挿入ブロック体を形成してもよい。
【００６８】
図１２は、ステンレスなどの金属により形成した挿入ブロック体１００を示す斜視図である。挿入ブロック体１００は、４枚の金属平板を溶接して平面視矩形状とし、その底部を金属製の底板１０４に溶接したものである。また、挿入ブロック体１００の下部には、流入管１３０及び流出管１４０が接続されている。主空間Ｓ１から貯留槽の外部に流出する水の流量が所望の流量となるよう流入管１３０の内径が設計される。なお、金属平板の数は４枚に限られず、必要に応じて枚数を増やしたり、曲げ加工などを用いることにより枚数を減らしてもよい。
【００６９】
図１３（ａ）〜（ｃ）は、骨格ブロック１０を用いずに樹脂により形成した挿入ブロック体の斜視図である。図１３（ａ）に示す挿入ブロック体１１０は、平面視矩形状のブロック１１２を２段重ねて形成したものである。各ブロックは、上縁に矩形状の突起１１６を有しており、下縁には突起１１６が嵌合される矩形状の不図示の溝が形成されている。突起１１６を溝に嵌合させることにより、ブロック１１２が安定して積層されるとともに、各段の隙間から水が流出することを抑制できる。なお、ブロック１１２の上縁と下縁とを接着したり、挿入ブロック体１１０の外周を仕切シートで被う場合には、ブロック１１２に突起１１６や溝を形成しなくてもよい。
【００７０】
各ブロック１１２の高さは、積層された骨格ブロック１０の１層分の高さと同じにする必要はなく、強度や施工の容易性などに鑑みて適宜定めるようにする。また、図１２のように１段のブロック１１２で構成してもよいし、ブロック１１２を３段以上重ねてもよい。
【００７１】
図１３（ｂ）に示す挿入ブロック体１２０は、２つのブロック１２２を組み合わせて平面視矩形状にしたものを２段重ねて形成し、底板１２４に立設したものである。また、図１３（ｃ）に示す挿入ブロック体１３０は、４つのブロック１３２を組み合わせて平面矩形状にしたものを２段重ねて形成し、底板１３４に立設したものである。これらの場合においても、平面視矩形状にしたブロックを図１３（ａ）と同様に積層して構成する。これらの挿入ブロック体１１０、１２０、１３０においても、下方に流入管１３０及び流出管１４０が接続されている。
【００７２】
なお、図１２、図１３にそれぞれ示した挿入ブロック体は、副空間Ｓ３内に設置されればよく、挿入ブロック体の外周が流出側仕切壁６０を構成するようにしてもよいし、流出側仕切壁６０のさらに内側に挿入ブロック体を設置するようにしてもよい。
【００７３】
また、樹脂や金属の代わりにコンクリートを用いた場合には、重量面で若干不利にものの、従来のように貯留槽の外部に設置する必要がないため、貯留施設全体で見た場合に必要な空間を狭くすることができ、また、貯留施設全体の設計も容易になる。
【００７４】
なお、副空間Ｓ２に対応する箇所において骨格ブロック１０が配置されない骨格ブロック１０の集合体と、副空間Ｓ２に相当する形状（直方体形状）を有し且つ流入側仕切壁５０あるいは仕切シート８０により側面が覆われた挿入ブロック体と、を個別に作製しておき、この骨格ブロック１０の集合体の副空間Ｓ２に当該挿入ブロック体を挿入することで、流入側仕切壁５０あるいは仕切シート８０により、主空間Ｓ１と副空間Ｓ２とを区画してもよい。
【００７５】
（第５の変形例）
以上の実施形態では、流出側仕切壁６０や仕切シート８０にオリフィス５３を設ける場合について説明したが、例えば、流出側仕切壁６０や仕切シート８０にはオリフィス用の開口を設けず、外周壁２０を構成する底面のうち副空間Ｓ３の下部及びその周辺の下部に当たる箇所を１段目の骨格ブロック１０の底部よりも更に低くし、この低くなった底面と１段目の骨格ブロック１０の底部との間に形成された空間を流出部４０と連通させるとともに、副空間Ｓ３の下部に形成された空間とその周辺の下部に形成された空間とを区画する仕切を別途設け、この仕切にオリフィス用の開口を形成してもよい。
【００７６】
ここで、上述した本発明の実施形態に係る骨格ブロック構造体の特徴をそれぞれ以下［１］〜［６］に簡潔に纏めて列記する。
［１］
貯水空間内に設置され貯留槽を構成する骨格ブロック構造体（１）であって、
前記骨格ブロック構造体は、
水平方向に隣接配置され且つ垂直方向に積層される複数の骨格ブロック（１０）からなる骨格ブロックの集合体と、
前記骨格ブロックの集合体の外周を囲って前記貯留槽を構成する外周壁（２０）と、
前記貯留槽に水を流入するための流入部（３０）と、
前記貯留槽に貯留されている水を流出するための流出部（４０）と、
前記貯留槽内を第１の空間（Ｓ１）と前記流出部に連通する第２の空間（Ｓ３）とに区画し、前記第１の空間から前記第２の空間への水の流入を規制する仕切部材（流出側仕切壁６０、仕切シート８０）と、を備えた、
骨格ブロック構造体。
［２］
上記［１］に記載の骨格ブロック構造体において、
前記第２の空間に挿入される挿入ブロック体（７０）をさらに備え、
前記挿入ブロック体は、前記仕切部材（仕切シート８０）により外周を覆われた状態で前記第２の空間に挿入された、
骨格ブロック構造体。
［３］
上記［１］に記載の骨格ブロック構造体において、
前記仕切部材は、複数の前記骨格ブロックの各層間に設置される複数の仕切ブロック（５１）により構成された、
骨格ブロック構造体。
［４］
上記［３］に記載の骨格ブロック構造体において、
各前記仕切ブロックの上縁部及び下縁部には、前記骨格ブロックに形成された溝部（１４）に嵌合する突起部（５２）を有する、
骨格ブロック構造体。
［５］
上記［１］に記載の骨格ブロック構造体において、
前記仕切部材は、積層された前記骨格ブロックの集合体の１層分の高さより高い１以上の仕切ブロックにより構成された、
骨格ブロック構造体。
［６］
上記［３］乃至［５］のいずれか１つに記載の骨格ブロック構造体において、
１以上の前記仕切ブロックには、前記第１の空間と前記第２の空間とを連通しオリフィスとして機能する開口（５３）が形成されている、
骨格ブロック構造体。
【符号の説明】
【００７７】
１      骨格ブロック構造体
１０    骨格ブロック
１４    溝部
２０    外周壁
３０    流入管
４０    流出管
５０    流入側仕切壁
５１    仕切ブロック
５２    突起部
５３    オリフィス
６０    流出側仕切壁
７０    挿入ブロック体
８０    仕切シート
【図１】
2020076312.tif 000003
【図２】
2020076312.tif 000004
【図３】
2020076312.tif 000005
【図４】
2020076312.tif 000006
【図５】
2020076312.tif 000007
【図６】
2020076312.tif 000008
【図７】
2020076312.tif 000009
【図８】
2020076312.tif 000010
【図９】
2020076312.tif 000011
【図１０】
2020076312.tif 000012
【図１１】
2020076312.tif 000013
【図１２】
2020076312.tif 000014
【図１３】
2020076312.tif 000015